(57)【要約】【課題】どのような眼鏡にも眼鏡用アタッチメントを取付けられるようにする。【解決手段】眼鏡１００の丁番１２０に取付けられたネジ１４０Ｂを丁番１２０の下方に露出する程長いものに代え、ネジ１４０Ｂの露出部分に眼鏡用アタッチメントを取付けるための第１部材２００を取付ける。第１部材２００は、筒２２０を備える。他方、眼鏡用アタッチメント４００には第２部材５００が取付けられる。第２部材５００は、筒２２０に挿入可能な棒５４０を備える。筒２２０に棒を挿入することで、眼鏡用アタッチメント４００は眼鏡１００に取付けられる。【選択図】図２
2012083373.tif 000002
【特許請求の範囲】
【請求項１】
その一部を縦方向に貫くネジを取付けられたテンプル取付け用の丁番を左右に一対備えた眼鏡に、前記眼鏡に取付けて用いられる眼鏡用アタッチメントを取付けるための着脱機構であって、
その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材と、
前記眼鏡用アタッチメントに取付けられた、前記第１部材に着脱自在に取付け可能とされた第２部材と、
を備えている、
着脱機構。
【請求項２】
前記第１部材は、前記ネジの前記露出部分を貫通させる貫通孔を備えた板状の貫通板を備えているとともに、前記貫通孔は前記ネジと螺合可能にその内周面にネジ切りがなされており、
前記第１部材は、前記ネジを前記貫通孔を貫通させつつ前記貫通孔に螺合させることにより、前記ネジの前記露出部分に固定されている、
請求項１記載の着脱機構。
【請求項３】
前記第１部材は、前記ネジの前記露出部分を貫通させる貫通孔を備えた板状の貫通板を備えており、
前記第１部材は、前記貫通孔を貫通させた前記ネジの前記露出部分に螺合させたナットの上面と、前記丁番の下面とにより前記貫通板を挟持させることによって前記ネジの前記露出部分に固定されている、
請求項１記載の着脱機構。
【請求項４】
前記貫通孔は、それを貫通させた前記ネジとの間に隙間が生じるような大きさ、形状とされているとともに、
前記ナットは、前記隙間に入り込むナット部と、前記隙間に入り込まない程度の大きさ、形状とされたフランジ部と、を備えるものとされており、
前記貫通孔に挿入された前記ナット部を前記ネジの前記露出部分に螺合させた状態で、前記フランジ部の上面と前記丁番の下面とにより前記貫通板を挟持させることによって、前記ネジの前記露出部分に前記第１部材を固定するようになっている、
請求項３記載の着脱機構。
【請求項５】
前記フランジ部は、前記隙間に入り込まず且つユーザが容易に指で摘むことのできる程度の大きさ、形状とされており、
指で摘んだ前記フランジ部を任意の方向に回転させることにより、ユーザが、前記ナット及び前記第１部材を前記ネジに対して着脱することができるようにされている、
請求項４記載の着脱機構。
【請求項６】
前記第１部材は、前記ネジの前記露出部に対して着脱自在に固定されるようになっている、
請求項１記載の着脱機構。
【請求項７】
前記第１部材は、前記眼鏡を平面視した場合の前記眼鏡の両テンプルに挟まれた部分に収まるようになっている、
請求項１記載の着脱機構。
【請求項８】
前記第１部材は、前記眼鏡を正面から見た場合の前記眼鏡の智の背後に位置し、且つ前記眼鏡を側面視した場合の前記ネジよりも前方の位置に位置するようになっている、
請求項７記載の着脱機構。
【請求項９】
前記第１部材は、前記ネジに略平行であり、少なくともその上端に開口を備えた筒を備えており、
前記第２部材は、その下端から前記筒に挿入可能な棒と、前記棒の上端と前記眼鏡用アタッチメントとを接続する接続部材とを備えており、
前記第２部材は、前記棒をその下端から前記筒に挿入するとともに、前記接続部材の一部を前記筒の上端の前記開口の周囲に係止させることにより、前記第１部材に取付けられるようになっている、
請求項２又は３記載の着脱機構。
【請求項１０】
前記第１部材は、前記ネジに平行であり、少なくともその上端に開口を備えるとともに、その内部下方に係止部を備えた筒を備えており、
前記第２部材は、その下端から前記筒に挿入可能な棒を備えており、
前記第２部材は、前記棒をその下端から前記筒に挿入するとともに、その先端を前記係止部に係止させることにより、前記第１部材に取付けられるようになっている、
請求項２又は３記載の着脱機構。
【請求項１１】
前記第１部材は、略垂直方向に伸びる棒と、前記棒の下端と前記貫通板とを接続する接続部材とを備えており、
前記第２部材は、少なくともその下端に開口を備えた筒を備えており、
前記第２部材は、前記棒をその上端から前記筒に挿入するとともに、前記筒の下端の前記開口の周囲を前記接続部材の一部に係止させることにより、前記第１部材に取付けられるようになっている、
請求項２又は３記載の着脱機構。
【請求項１２】
前記第１部材は、略垂直方向に伸びる棒を備えており、
前記第２部材は、少なくともその上端に開口を備えるとともに、その内部下方に係止部を備えた筒を備えており、
前記第２部材は、前記棒をその下端から前記筒に挿入するとともに、その先端を前記係止部に係止させることにより、前記第１部材に取付けられるようになっている、
請求項２又は３記載の着脱機構。
【請求項１３】
前記第１部材は、前記ネジに略平行であり、少なくともその下端に開口を備えた筒を備えており、
前記第２部材は、その上端から前記筒に挿入可能な棒を備えており、
前記筒、前記棒の少なくとも一方には、前記棒をその上端から前記筒に挿入した状態で前記棒を前記筒に着脱自在に固定する抜止機構が設けられており、
前記第２部材は、前記棒をその上端から前記筒に挿入した状態で、前記抜止機構の機能により、前記第１部材に取付けられるようになっている、
請求項２又は３記載の着脱機構。
【請求項１４】
前記第１部材は、略垂直方向に伸びる棒を備えており、
前記第２部材は、少なくともその少なくともその下端に開口を備え、前記棒をその上端から受入れ可能な筒を備えており、
前記筒、前記棒の少なくとも一方には、前記棒をその上端から前記筒に挿入した状態で前記棒を前記筒に着脱自在に固定する抜止機構が設けられており、
前記第２部材は、前記棒をその上端から前記筒に挿入した状態で、前記抜止機構の機能により、前記第１部材に取付けられるようになっている、
請求項２又は３記載の着脱機構。
【請求項１５】
前記筒は、円筒であり、且つ前記筒の内部の空間に連通する切欠を備えており、
前記筒の外周には、前記切欠を介して前記筒の内部の空間にその一部が入り込んでいるリング状のバネであるリングバネが嵌められており、
前記棒は前記筒の内部の空間と略同径の円柱であり、前記棒を前記筒に挿入した場合に前記切欠に対応することが予定された部分に溝が設けられており、
前記棒を前記筒に挿入した場合に、前記筒の内部の空間に入り込んでいる前記リングバネが前記溝に嵌合することにより、前記棒を前記筒に固定できるようになっているとともに、前記棒に下向きの力を加え、前記リングバネの弾性力に抗して前記リングバネを前記溝から外すことにより、前記棒の前記筒に対する固定を解除できるようにすることで、前記リングバネと前記溝を、前記棒を前記筒に着脱自在に固定する抜止機構として機能させられるようになっている、
請求項１３又は１４記載の着脱機構。
【請求項１６】
前記第１部材と前記第２部材の一方は磁石である第１磁石を、前記第１部材と前記第２部材の他方は、前記第１磁石と吸着しあう磁石である第２磁石又は前記第１磁石と吸着しあう磁性材をそれぞれ備えており、
前記第１部材と前記第２部材の一方に設けられた第１磁石と、前記第１部材と前記第２部材の他方に設けられた前記第２磁石又は磁性材とを吸着させることにより、前記第１部材を前記第２部材に着脱自在に取付けられるようになっている、
請求項１記載の着脱機構。
【請求項１７】
前記第１部材は、前記ネジに略平行である棒状の棒状体を備えており、
前記第２部材は、前記棒状体の長さだけ間隔を空けて互いに対向する対向部材を備えており、
前記棒状体の両端と前記対向部材の双方の一方に前記第１磁石が、前記棒状体の両端と前記対向部材の双方の他方に前記第２磁石又は磁性材が設けられている、
請求項１６記載の着脱機構。
【請求項１８】
その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムを構成するための眼鏡であって、
その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材を備えており、
前記第１部材が、前記眼鏡用アタッチメントに取付けられた第２部材に着脱自在に取付け可能とされている、
眼鏡。
【請求項１９】
その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムを構成するための眼鏡用アタッチメントであって、
第２部材を備えており、
前記第２部材が、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材に、着脱自在に取付け可能とされている、
眼鏡用アタッチメント。
【請求項２０】
その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムであって、
前記眼鏡は、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材を備えており、
前記眼鏡用アタッチメントは、前記第１部材に着脱自在に取付け可能とされた第２部材を備えている、
眼鏡システム。
【請求項２１】
その一部を縦方向に貫くネジを取付けられたテンプル取付け用の丁番を左右に一対備えた既存の眼鏡であり、前記ネジの下端が前記丁番の下面と略面一にされたものを、眼鏡と、前記眼鏡に取付けて用いられる眼鏡用アタッチメントとを組合わせてなる眼鏡システムを構成するための眼鏡に加工する方法であって、
前記ネジのうちの少なくとも一方を、その長さが前記丁番を貫き且つその先端が丁番の下方から露出する程度に長くされた長ネジに交換し、
前記長ネジの前記丁番の下方から露出する部分である露出部分に、前記眼鏡用アタッチメントに取付けられた第２部材に着脱自在に取付け可能とされた第１部材を取付ける、
加工方法。
【発明の詳細な説明】
【技術分野】
【０００１】
本発明は、眼鏡に眼鏡用アタッチメントを着脱自在に取り付けるための技術に関する。
【背景技術】
【０００２】
電子部品の小型化が進んだ結果、様々な機器がウエアラブルになって来ている。例えば、従来は大型の据え置きタイプの物しかなかったディスプレイに基づいてヘッドマウントディスプレイが開発されたり、従来は手持ちが当たり前であったカメラに基づいてユーザの視線方向の対象物を撮像できるヘッドマウントタイプのカメラが開発されたりしている。
そのようなウエアラブルであることをその性質の一つとして持つ機器（これは、上述したディスプレイ、カメラには限られず、例えば、照明用のライト、ラジオ、オーディオプレイヤ等様々なものが含まれうるし、更にいえば拡大鏡のような電子機器以外の機器も含まれうる。）は今後その応用が望まれるが、それをどのようにしてユーザの身体に取付けるかという点が課題となる。
【０００３】
本願発明者は研究の結果、ウエアラブルであることをその性質の一つとして持つ上述の如き機器をユーザの身体に取付けるには、眼鏡を利用できるのではないかという着想を得た。つまり、上述の如き機器を、ユーザが身に着けた眼鏡を介してユーザの身体に取付けることができれば便利ではないか、という着想を本願発明者は得たのである。
眼鏡は、普段の生活においてユーザの耳にかけて使用されるため、上述の如き機器を眼鏡に取付けた場合でもユーザの両手は空いた状態を保つから、眼鏡をユーザの身体に上述の如き機器を取付けたとしてもユーザは両手が空いた状態となるので日常生活の場面でも便利である。また、眼鏡は、視力の矯正を主な目的として使用されるが、視力の矯正を必要としない者であっても伊達眼鏡やサングラスを掛けることは自由であるから、ウエアラブルであることをその性質の一つとして持つ機器をユーザの身体に取付けるために万人が使用することのできる眼鏡を用いることとしても、ユーザを選ぶことがない。
そのような意味で、眼鏡に様々な機器、特に小型の機器を取付けることができるようになれば非常に便利であると考えられる。
例えば、小型の画像表示装置を眼鏡に取り付けてヘッドマウントディスプレイとして使用したり、小型のカメラを眼鏡に取り付けて自分の視界に入るものを撮影したりすることができるようになれば便利であろう。
【０００４】
ところが、ウエアラブルであることをその性質の一つとして持つ上述の如き機器（このような機器は、本願では眼鏡に取付けられることを前提とするため、本願ではそれを以下「眼鏡用アタッチメント」と呼ぶこととする。）を眼鏡に取付けられるようにすることは簡単ではない。
眼鏡用アタッチメントを眼鏡に取付けられるようにすることの困難性は、眼鏡の構造が多様であることに起因して生じる。ファッション性が強く求められることの多い眼鏡は、そのデザインが極めて多様である。したがって、眼鏡用アタッチメントを取付ける眼鏡を眼鏡用アタッチメントと組合わせることを前提とした専用品とした場合はともかく、一般的な眼鏡に眼鏡用アタッチメントを取付けようとする場合には、眼鏡のどこに眼鏡用アタッチメントを取付ければよいかという点が問題となる。例えば、殆どすべての眼鏡は、レンズとテンプルという共通の部材を備えているため、それらのいずれかに対して眼鏡用アタッチメントを取付けることが考えられるが、レンズには、フレームの有無、形状の相違、厚さの相違等の多様性があり、また、テンプルには、その太さ、断面形状等の多様性があるから、レンズ、或いはテンプルを介して眼鏡に眼鏡用アタッチメントを取付けるようにすることはやはり簡単ではない。
しかも、眼鏡用アタッチメントの眼鏡への取付けは、眼鏡用アタッチメントを使用しないときにはそれを眼鏡から取外せるようにするために、着脱自在なものとするのが好ましいが、それがまた眼鏡用アタッチメントの眼鏡への取付けを行う機構の開発を困難なものとしている。
【発明の概要】
【発明が解決しようとする課題】
【０００５】
本発明は、眼鏡用アタッチメントの眼鏡への取付を、殆どすべての眼鏡に対して行なえるようにするための技術を提案することをその課題とする。
【課題を解決するための手段】
【０００６】
本願発明者は、かかる課題を解決するために研究を重ね、以下の着想を得た。
殆どすべての眼鏡は、眼鏡のレンズとテンプルとを接続する部分に丁番（蝶番）と呼ばれる部材を備えている。丁番は一般的に、フレームレスタイプの眼鏡の場合には両レンズの側方外側の端部に、フレームのある眼鏡の場合にはフレームの側方外側の端部に、多くの場合智を介して取付けられるが、いずれにせよ略すべての眼鏡が備える。そして、丁番には、多くの場合丁番を縦に貫くネジが取付けられている。このネジは、丁番に固定された状態でテンプルの基端を貫いており、テンプルは、そのネジを軸として眼鏡のレンズに対して回動運動を行えるようになっている。つまり、丁番のネジは、テンプルのレンズに対する回動運動を行わせるために基本的に不可欠なのであり、よほど特殊な丁番を除けばほとんどすべての丁番に存在する。
本願発明者は、この丁番のネジに着目した。丁番に取付けられたネジは、殆どすべての眼鏡に存在するから、眼鏡用アタッチメントを眼鏡に対して取付ける際に丁番のネジを利用することとすれば、眼鏡用アタッチメントを略すべての眼鏡に取付けられることになる。また、ネジは、何かに対して螺合させることによって固定されるという機能を本質的な機能と有しているため、その本質的な機能を利用すれば、眼鏡用アタッチメント（或いは、眼鏡用アタッチメントを固定するための眼鏡用アタッチメントとネジの間に介在する部品）との固定を行うことは当然に可能となる。
つまり、本願出願人が得た着想は、眼鏡用アタッチメントを眼鏡に対して取付ける際に丁番のネジを利用するのは、その汎用性、その機能から見て非常に合理的である、というものである。
【０００７】
以上の着想に基づいて、本願発明者は以下の発明をなした。
本願発明者がまず提案するのは、その一部を縦方向に貫くネジを取付けられたテンプル取付け用の丁番を左右に一対備えた眼鏡に、前記眼鏡に取付けて用いられる眼鏡用アタッチメントを取付けるための着脱機構である。
そして、この着脱機構は、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材と、前記眼鏡用アタッチメントに取付けられた、前記第１部材に着脱自在に取付け可能とされた第２部材と、を備えている。
丁番に取付けられるネジは、従来、丁番に設けられた内部にネジ切りのされた縦方向の孔に、上側（なお、本願における上下、前後、左右の概念は、ユーザが眼鏡を身につけた状態で顔を正面に向けた場合におけるユーザの上下、前後、左右の方向に一致するものとする。）から挿入されるようにされるのが通常であり、さらにその先端は丁番の下面に面一にされるのが通常である。このようなネジは、丁番から露出する部分がないため、第１部材の取付けに利用することは不可能である。
そこで、本願では、ネジの長さを、上側から丁番の孔に挿入されたネジが丁番を貫き且つその先端が丁番の下方から露出する程度に長くすることにしている。このようなネジを丁番に螺合させると、ネジの先端が丁番の下方から露出する。本願発明では、ネジの丁番の下方から露出した部分にあたる露出部分を利用し、そこに第１部材を固定することとしている。この第１部材は、眼鏡用アタッチメントに設けられた第２部材と着脱自在な固定をできるようにされているので、第１部材を取付けられた眼鏡には眼鏡用アタッチメントを着脱自在に取付けられるようになるというわけである。
この発明の利点は以下にある。
まず、ほとんどすべての眼鏡が備える丁番のネジを長くするだけで第１部材を眼鏡に取付けられるようになるという利点を挙げられる。この利点により、眼鏡用アタッチメントの実現可能性が向上する。しかも、丁番のネジを長くするという改変は、非常に単純であるから技術的な難易度が低く、コスト的にも有利である。また、かかる改変は、既存の眼鏡に対して行なうこともできるから、既存の眼鏡にも第１部材を取付けることが可能となるため、ユーザは自分の既に所有する眼鏡でさえも眼鏡用アタッチメントを取付けることのできる眼鏡に改良できることとなる。
また、眼鏡用アタッチメントを眼鏡に着脱自在に取付けるための部材を第１部材と第２部材に分けることにより、第１部材を小さくすることができるという利点もこの発明には存在する。眼鏡用アタッチメントを眼鏡に着脱自在に取付けるための部材を第１部材と第２部材に分けることにより、着脱機構が求められる機能のうち最小限のものを第１部材に割振れば良いこととなるため、第１部材を小さくできるようになるのである。第１部材は基本的に、眼鏡に対して恒久的に固定される。しかし、上述のようにファッション性が要求されることの多い眼鏡では、第１部材が大きく目立つものであるとそれを眼鏡に取付けることに嫌悪感を持つユーザが存在することが予想される。そのような事情があるから、第１部材を小さくできるという上述の利点は非常に大きな意味を持つことになる。
なお、第１部材は、２つの丁番のそれぞれに設けられた２つのネジの双方に取付けることもできるし、２つのネジの一方のみに取付けることもできる。必要に応じて、第１部材を１つ又は２つ、眼鏡に取付ければよい。なお、第１部材が取付けられないネジは、従来同様の長さとしておいてもよい。この場合のネジは、従来同様その先端が丁番の下面に面一となる。
【０００８】
第１部材のネジへの取付けは、ネジの露出部分を利用して行なわれるのであればどのようにして行なわれてもよい。
第１部材のネジへの取付けは、例えば、以下のように行うことができる。
例えば、前記第１部材は、前記ネジの前記露出部分を貫通させる貫通孔を備えた板状の貫通板を備えているとともに、前記貫通孔は前記ネジと螺合可能にその内周面にネジ切りがなされており、前記第１部材は、前記ネジを前記貫通孔を貫通させつつ前記貫通孔に螺合させることにより、前記ネジの前記露出部分に固定されている、という構造を採用することができる。この場合には、ネジが持つ何かと螺合できるという機能を利用して、ネジの露出部分を第１部材が備える貫通板と螺合させる。
或いは、前記第１部材は、前記ネジの前記露出部分を貫通させる貫通孔を備えた板状の貫通板を備えており、前記第１部材は、前記貫通孔を貫通させた前記ネジの前記露出部分に螺合させたナットの上面と、前記丁番の下面とにより前記貫通板を挟持させることによって前記ネジの前記露出部分に固定されている、という構造を採用することができる。なお、この場合には、貫通孔の内周にはネジ切りが行なってある必要はない。この場合には、ネジが持つ何かと螺合できるという機能を利用して、ネジの露出部分をナットと螺合させる。この構造を採用すると、ネジの径が異なっても第１部材のネジへの固定を行えるようになるという利点がある。丁番に螺合させられるネジは眼鏡によって異なる場合があるが、この構造ではネジに合わせたナットを準備するだけで第１部材のネジへの固定を行えるようになる。ナットは、その孔がナットの厚さ方向で貫通している必要は必ずしもない。例えば、袋ナットのような、孔が貫通しない構造を採用してもよい。
ナットを用いてネジに第１部材を固定する構造を採用した場合には、更に以下のような構造を採用することができる。その構造では、前記貫通孔は、それを貫通させた前記ネジとの間に隙間が生じるような大きさ、形状とされているとともに、前記ナットは、前記隙間に入り込むナット部と、前記隙間に入り込まない程度の大きさ、形状とされたフランジ部と、を備えるものとされており、前記貫通孔に挿入された前記ナット部を前記ネジの前記露出部分に螺合させた状態で、前記フランジ部の上面と前記丁番の下面とにより前記貫通板を挟持させることによって、前記ネジの前記露出部分に前記第１部材を固定するようになっている。この場合に用いられるナットは、フランジ付ナットとも呼ばれるものであるが、このようなナットを用いても、ネジに第１部材を取付けることができる。なお、ナット部の孔は、フランジ部を貫通していてもいなくてもよい。
フランジ付ナットとも呼ばれる上述の如きフランジ部を備えるナットを用いる場合、前記フランジ部は、前記隙間に入り込まず且つユーザが容易に指で摘むことのできる程度の大きさ、形状とすることができ、そうすることにより、指で摘んだ前記フランジ部を任意の方向に回転させることにより、ユーザが、前記ナット及び前記第１部材を前記ネジに対して着脱することができるようにすることができる。上述したように、第１部材は眼鏡に恒久的に取付けるのが基本であるが、このような構造を採用すれば、眼鏡に対して第１部材を着脱することができるようになる。第２部材及びそれを備える眼鏡用アタッチメントは、上述したように必要に応じて第１部材及びそれを備える眼鏡に対して自由に着脱できる。しかしながら、その眼鏡と組合わせて眼鏡用アタッチメントを利用することがなくなった場合等ある程度長期間第１部材が不要になる場合や、或いは如何に小さいとはいえ第１部材が眼鏡に取付けられていることが気になるユーザにとっては、第１部材を眼鏡から取外せるという構成は、ユーザにとって利益があると考えられる。もっとも、かかる利益は、上述の如きフランジ部を備えたナットを用いて初めて奏されるものではなく、前記第１部材が、前記ネジの前記露出部に対して着脱自在に固定されるようになっていれば他の構造によっても得られるものである。
なお、第１部材を丁番のネジに対して着脱自在に固定するようにするのであれば、第１部材と第２部材の固定は必ずしも着脱自在なものとする必要はない。第１部材を丁番のネジに対して着脱自在に固定するのであれば、眼鏡から眼鏡用アタッチメントを取外す場合には、第１部材を眼鏡のネジから取外すことによって、第１部材と第２部材と眼鏡用アタッチメントとを眼鏡からまとめて取り外せばよいからである。第１部材と第２部材の固定を着脱自在にしなのであれば、第１部材は必ずしも小さくする必要はないし、また、第１部材と第２部材を一体とすることすら可能である。
【０００９】
上述したように、第１部材は、主にファッション上の理由からなるべく小さくするのがよい。また、眼鏡に取付けられる（しかも恒常的に取付けられる可能性が高い。）ものであるから軽量であるのが好ましい。
ファッション面をより考慮するのであれば、第１部材は、前記眼鏡を平面視した場合の前記眼鏡の両テンプルに挟まれた部分に収まるようになっているのが好ましい。眼鏡のテンプルに挟まれた部分に第１部材が収まることになれば、第１部材の取付けられた眼鏡をユーザがかけていたとしても、レンズ或いは存在するのであればフレームや智の背後に、また、眼鏡を装着しているユーザの側面から見た場合にはテンプルの背後に第１部材が位置することになるから、第三者から第１部材の存在を気取られない可能性が高くなる。
第１部材は、テンプルに近い範囲、例えば、テンプルから１０ｍｍ以内、好ましくは６ｍｍ以内の範囲に収まるようにするのが好ましい。このような第１部材であれば目立たず、また、第１部材をネジに取付けた状態の眼鏡をユーザが掛けた場合であってもユーザの顔に干渉しにくいからである。前記第１部材は、前記眼鏡を正面から見た場合の前記眼鏡の智の背後に位置するようにすると更によい。このようにすると、第三者から第１部材の存在をより気取られなくなる。第１部材は、前記眼鏡を側面視した場合の前記ネジよりも前方の位置に位置するようにすることができる。これも第三者から第１部材の存在をより気取られなくするのに有用である。また、第１部材は、眼鏡のレンズの上下方向の高さの範囲内に収まるようにするのが良い。これも第三者から第１部材の存在をより気取られなくするのに有用である。
【００１０】
第１部材と第２部材の着脱自在の固定は、どのような構成によって実現されてもよい。
例えば、着脱自在なボールジョイントにより、第１部材と第２部材を着脱自在に固定できるようにすることが可能である。この場合には、第１部材と第２部材の一方に、ボールジョイントを構成するためのボールを、第１部材と第２部材の他方にボールを収納する凹面を備えた部材を設ける。
或いは、前記第１部材は、前記ネジに略平行であり、少なくともその上端に開口を備えた筒を備えており、前記第２部材は、その下端から前記筒に挿入可能な棒と、前記棒の上端と前記眼鏡用アタッチメントとを接続する接続部材とを備えており、前記第２部材は、前記棒をその下端から前記筒に挿入するとともに、前記接続部材の一部を前記筒の上端の前記開口の周囲に係止させることにより、前記第１部材に取付けられるようになっている、という構造を採用することができる。この場合、第２部材は、第２部材及び眼鏡用アタッチメントの重さにより、第１部材に取付けられることになる。また、前記第１部材は、前記ネジに平行であり、少なくともその上端に開口を備えるとともに、その内部下方に係止部を備えた筒を備えており、前記第２部材は、その下端から前記筒に挿入可能な棒を備えており、前記第２部材は、前記棒をその下端から前記筒に挿入するとともに、その先端を前記係止部に係止させることにより、前記第１部材に取付けられるようになっている、という構造を採用することもできる。この場合にも、第２部材は、第２部材及び眼鏡用アタッチメントの重さにより、第１部材に取付けられることになる。この場合の係止部は、例えば、筒の下端に設けられた蓋乃至底とすることができる。
筒と棒を用いた上述の構造は、筒と棒の第１部材と第２部材に対する関係を逆にすることができる。例えば、前者の場合であれば、前記第１部材は、略垂直方向に伸びる棒と、前記棒の下端と前記貫通板とを接続する接続部材とを備えており、前記第２部材は、少なくともその下端に開口を備えた筒を備えており、前記第２部材は、前記棒をその上端から前記筒に挿入するとともに、前記筒の下端の前記開口の周囲を前記接続部材の一部に係止させることにより、前記第１部材に取付けられるようになっている、という構造に変更可能である。後者の場合であれば、前記第１部材は、略垂直方向に伸びる棒を備えており、前記第２部材は、少なくともその上端に開口を備えるとともに、その内部下方に係止部を備えた筒を備えており、前記第２部材は、前記棒をその下端から前記筒に挿入するとともに、その先端を前記係止部に係止させることにより、前記第１部材に取付けられるようになっている、という構造に変更可能である。
上述の筒と棒を用いた構造では、棒は、筒の上端の開口にその下端から挿入されたが、棒を筒の下端の開口にその上端から挿入することも可能である。もっともこの場合には、棒の筒からの抜けを防止する必要がある。例えば、前記第１部材は、前記ネジに略平行であり、少なくともその下端に開口を備えた筒を備えており、前記第２部材は、その上端から前記筒に挿入可能な棒を備えており、前記筒、前記棒の少なくとも一方には、前記棒をその上端から前記筒に挿入した状態で前記棒を前記筒に着脱自在に固定する抜止機構が設けられており、前記第２部材は、前記棒をその上端から前記筒に挿入した状態で、前記抜止機構の機能により、前記第１部材に取付けられるようになっている、という構造を採用することができる。この場合でも、筒と棒の第１部材と第２部材に対する関係を逆にすることができる。筒と棒の関係を逆にした場合、前記第１部材は、略垂直方向に伸びる棒を備えており、前記第２部材は、少なくともその少なくともその下端に開口を備え、前記棒をその上端から受入れ可能な筒を備えており、前記筒、前記棒の少なくとも一方には、前記棒をその上端から前記筒に挿入した状態で前記棒を前記筒に着脱自在に固定する抜止機構が設けられており、前記第２部材は、前記棒をその上端から前記筒に挿入した状態で、前記抜止機構の機能により、前記第１部材に取付けられるようになっている、という構造となる。
これらの場合の抜止機構は筒から棒が抜け落ちることを防止でき、且つ必要な場合には筒から棒を抜けさせることができるのであれば、どのような構造であっても構わない。例えば、前記筒は、円筒であり、且つ前記筒の内部の空間に連通する切欠を備えており、前記筒の外周には、前記切欠を介して前記筒の内部の空間にその一部が入り込んでいるリング状のバネであるリングバネが嵌められており、前記棒は前記筒の内部の空間と略同径の円柱であり、前記棒を前記筒に挿入した場合に前記切欠に対応することが予定された部分に溝が設けられており、前記棒を前記筒に挿入した場合に、前記筒の内部の空間に入り込んでいる前記リングバネが前記溝に嵌合することにより、前記棒を前記筒に固定できるようになっているとともに、前記棒に下向きの力を加え、前記リングバネの弾性力に抗して前記リングバネを前記溝から外すことにより、前記棒の前記筒に対する固定を解除できるようにすることで、前記リングバネと前記溝を、前記棒を前記筒に着脱自在に固定する抜止機構として機能させられるようになっている、という構造を採用できる。
或いは、第１部材と第２部材の着脱自在な固定には、磁石を利用することができる。例えば、前記第１部材と前記第２部材の一方は磁石である第１磁石を、前記第１部材と前記第２部材の他方は、前記第１磁石と吸着しあう磁石である第２磁石又は前記第１磁石と吸着しあう磁性材をそれぞれ備えており、前記第１部材と前記第２部材の一方に設けられた第１磁石と、前記第１部材と前記第２部材の他方に設けられた前記第２磁石又は磁性材とを吸着させることにより、前記第１部材を前記第２部材に着脱自在に取付けられるようになっている、という構造を採用することができる。
【００１１】
本願発明者は、また、その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムを構成するための眼鏡を本願発明として提案する。この発明によっても、本願発明の着脱機構と同様の効果を得られる。
この眼鏡は、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材を備えており、前記第１部材が、前記眼鏡用アタッチメントに取付けられた第２部材に着脱自在に取付け可能とされている。
なお、この眼鏡の第１部材は着脱機構における眼鏡に用いられていたものと同様のものとすることができる。
【００１２】
本願発明者は、また、その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムを構成するための眼鏡用アタッチメントを本願発明として提案する。この発明によっても、本願発明の着脱機構と同様の効果を得られる。
この眼鏡用アタッチメントは、第２部材を備えており、前記第２部材が、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材に、着脱自在に取付け可能とされている。
なお、この眼鏡用アタッチメントの第２部材は着脱機構における眼鏡用アタッチメントに用いられていたものと同様のものとすることができる。
【００１３】
本願発明者は、また、その一部を縦方向に貫くネジを取付けられたテンプル取付け用の丁番を左右に一対備えた眼鏡と、前記眼鏡に取付けて用いられる眼鏡用アタッチメントとを組合わせてなる眼鏡システムを提案する。この発明によっても、本願発明の着脱機構と同様の効果を得られる。
眼鏡システムに含まれる前記眼鏡は、その長さが前記丁番を貫き且つその先端が丁番の下方から露出する程度に長くされた、前記丁番の少なくとも一方に取付けられた前記ネジの、前記丁番の下方から露出する部分である露出部分に固定された第１部材を備えており、眼鏡システムに含まれる前記眼鏡用アタッチメントは、前記第１部材に着脱自在に取付け可能とされた第２部材を備えている。
なお、この眼鏡システムに含まれる第１部材と第２部材は、着脱機構における第１部材と第２部材と同様のものとすることができる。
【００１４】
本願発明者は、また、その一部を縦方向に貫くネジを取付けられたテンプル取付け用の丁番を左右に一対備えた既存の眼鏡であり、前記ネジの下端が前記丁番の下面と略面一にされたものを、眼鏡と、前記眼鏡に取付けて用いられる眼鏡用アタッチメントとを組合わせてなる眼鏡システムを構成するための眼鏡に加工する方法を提案する。
その方法は、前記ネジのうちの少なくとも一方を、その長さが前記丁番を貫き且つその先端が丁番の下方から露出する程度に長くされた長ネジに交換し、前記長ネジの前記丁番の下方から露出する部分である露出部分に、前記眼鏡用アタッチメントに取付けられた第２部材に着脱自在に取付け可能とされた第１部材を取付ける、加工方法である。このようにすることで、既存の眼鏡に、眼鏡用アタッチメントを取付けることができるようになり、既存の眼鏡を、眼鏡と眼鏡用アタッチメントとを組合わせてなる眼鏡システムを構成するための眼鏡として利用できるようになる。
【図面の簡単な説明】
【００１５】
【図１ａ】本発明の第１実施形態の眼鏡システムに含まれる眼鏡に第１部材を取付ける方法を示す破断図を含む側面図。
【図１ｂ】図１ａの破線に囲まれた部分の拡大図。
【図２】図１ａで示した第１部材に、第２部材を固定する方法を示す破断図を含む側面図。
【図３】図１aで示した第１部材に、第２部材を固定する他の方法を示す破断図を含む側面図。
【図４】本発明の第１実施形態の眼鏡システムに含まれる眼鏡用アタッチメントの構造を示す、（Ａ）正面図、（Ｂ）平面図、及び（Ｃ）背面図。
【図５】本発明の第１実施形態の眼鏡システムに含まれる眼鏡用アタッチメントを眼鏡に取付けた状態を示す、（Ａ）平面図、及び（Ｂ）正面図。
【図６】本発明の第１実施形態の眼鏡システムに含まれる他の例による眼鏡用アタッチメントを眼鏡に取付けた状態を示す、（Ａ）平面図、及び（Ｂ）正面図。
【図７】本発明の第１実施形態の眼鏡システムに含まれる更に他の例による眼鏡用アタッチメントを眼鏡に取付けた状態を示す、（Ａ）平面図、及び（Ｂ）正面図。
【図８】本発明の第２実施形態の眼鏡システムに含まれる眼鏡に取付けられる第１部材の構造を示す透視図を含む（Ａ）平面図、及び（Ｂ）側面図。
【図９】本発明の第２実施形態の眼鏡システムに含まれる眼鏡に取付けられるフランジ付ナットの構造を示す透視図を含む（Ａ）平面図、及び（Ｂ）側面図。
【図１０】本発明の第２実施形態の眼鏡システムに含まれる眼鏡用アタッチメントに取付けられるボール受け部材の構造を示す透視図を含む（Ａ）平面図、及び（Ｂ）右側面図。
【図１１】本発明の第１実施形態の眼鏡システムに含まれる眼鏡用アタッチメントの構造を示す平面図。
【図１２】本発明の第２実施形態の眼鏡システムに含まれる眼鏡用アタッチメントを眼鏡に取付けた状態を示す斜視図。
【図１３】本発明の第３実施形態の眼鏡システムに含まれる眼鏡用アタッチメントを眼鏡に取付けた状態を示す斜視図。
【図１４】本発明の第３実施形態の眼鏡システムに含まれる眼鏡用アタッチメントを眼鏡に取付けた状態を示す側面図。
【発明を実施するための形態】
【００１６】
以下、本発明の第１〜第３実施形態を、図面を参照しながら詳細に説明する。
なお、各実施形態で共通する対象には共通する符号を付し、また、各実施形態において重複する説明は場合により省略するものとする。
【００１７】
≪第１実施形態≫
第１実施形態について、図１〜図７を用いて説明する。
第１実施形態は、眼鏡と、眼鏡に取付けられる眼鏡用アタッチメントとを組合わせてなる眼鏡システムに関する。第１実施形態の眼鏡用アタッチメントは、小型のディスプレイであるから、眼鏡用アタッチメントを取付けられた眼鏡は、ヘッドマウントディスプレイとして機能することになる。
後述するように眼鏡には第１部材が、眼鏡用アタッチメントには第２部材が取付けられており、且つ第１部材と第２部材は着脱自在にされている。
【００１８】
まず、眼鏡に第１部材を取付ける方法を図１ａ、ｂを用いて説明する。
図１ａ、ｂは、この実施形態の眼鏡システムに含まれる眼鏡に第１部材を取付ける方法を示す側面図である。図１ａの（Ａ）〜（Ｃ）はいずれも、眼鏡１００のテンプル１１０の間から、右のテンプル１１０及びその付根付近を見た状態を示している。図１ｂは、図１ａの破線で囲まれた部分を拡大して示す図である。
【００１９】
図１ａ、ｂに示された眼鏡１００の構造を概略的に説明する。
この眼鏡１００は、極ありふれた眼鏡である。眼鏡１００は、市販の眼鏡であってもよい。この眼鏡は、既に販売されたものでありユーザが所有する既存の眼鏡であるという前提で以下の説明を行なうが、販売前の新品であっても構わない。
眼鏡１００はテンプル１１０等の僅かな違いを除き略左右対称の構造とされる。上述したように、眼鏡１００はテンプル１１０を備えている。また、眼鏡１００は、丁番１２０を備えている。
丁番１２０は、この実施形態ではともに略水平になるようにして、所定の間隔を空けて配された２枚の丁番板１２１を含んでいる。２枚の丁番板１２１は、眼鏡１００の智１３０に接続されている。智１３０と丁番板１２１は一部材として成形されている場合もあるが、この実施形態では丁番板１２１は智１３０とは別部材であり、智１３０に対してロウ付けなどの適当な方法で固定されている。２枚の丁番板１２１にはともに、円形の孔１２２、１２２が穿たれている。２つの孔１２２は、同径であり、且つその軸が一直線上に位置するようにされている。２つの孔１２２の内周面のうち少なくとも下側に位置する丁番板１２１に穿たれた孔１２２の内周面には、ネジ切りがなされている。上側の丁番板１２０に穿たれた孔１２１の上部は、大径とされている。上側の丁番板１２０に穿たれた孔１２１の大径の部分には、後述するネジを螺合させた場合にネジの頭部が収納される。
平行に配された２枚の丁番板１２１の間の隙間には、テンプル１１０に接続されたテンプル板１１１が挟み込まれている。テンプル板１１１の厚さは、２枚の丁番板１２１の間の隙間の幅に略一致している。テンプル板１１１はテンプル１１０と一体となっている場合もあるが、この実施形態ではテンプル１１０とは別部材であり、テンプル１１０に対してロウ付けなどの適当な方法で接続されている。テンプル板１１１には孔１１２が穿たれている。この孔１１２は、２枚の丁番板１２１に穿たれた孔１２２と略同径であるが、その内周面にネジ切りがなされていない。
【００２０】
テンプル１１０は、２枚の丁番板１２１に設けられた２つの孔１２２と、２枚の丁番板１２１の間に差込まれたテンプル板１１１とをまとめて貫くネジ１４０によって丁番１２０に回動自在に固定される。ネジ１４０は、その外周にネジ切りのされた螺合部１４１と、螺合部１４１の一端に設けられた頭部１４２とを備えており、少なくとも下側の丁番板１２１の孔１２２に螺合される（上側の丁番板１２１の孔１２２の内側にもネジ切りがなされている場合には、ネジ１４０は、上側の丁番板１２１の孔１２２にも螺合される。）。ネジ１４０の締付け具合を適当に調整してやると、接続部１２０は適度な摩擦抵抗を上下の丁番板１２１から与えられた状態で、丁番１２０に固定されることになる。この状態で、テンプル１１０は、テンプル板１１１を貫くネジ１４０を軸として回動できることになる。
図１ａ（Ａ）では、ユーザの眼鏡１００の丁番１２０に元々螺合されていた通常のネジ１４０Ａを丁番から外し、それよりも長いネジ１４０Ｂを丁番１２０に螺合させることを示している。元々丁番１２０に螺合されていたネジ１４０Ａは、ネジ１４０Ａを丁番１２０に螺合させた場合に、その螺合部１４１の先端が下側の丁番板１２１の下面に略面一になるような長さとなっている。他方、ユーザの眼鏡１００の丁番１２０に新たに螺合させられるネジ１４０Ｂは、丁番１２０に螺合させた場合に、その螺合部１４１の先端が丁番１２０の下方に露出する程度に長くなっている。丁番１２０に取付けたネジ１４０Ｂの螺合部１４１のうち、下側の丁番板１２１の下面から更に下方に突き出た部分が本願発明における露出部分に相当するが、その長さは数ｍｍ、例えば２〜７ｍｍ程度あれば足りる。
なお、この実施形態では、眼鏡用アタッチメントとの関係による必要性により、左右両方の丁番１２０ネジ１４０Ａをネジ１４０Ｂに交換することとしている。
眼鏡１００が新品であったのであれば、ネジ１４０としては当初から長いネジ１４０Ｂを使用すればよい。
【００２１】
眼鏡１００の他の部分の構造は、一般的な眼鏡の構造と変わりない。眼鏡１００は、図１ａ、ｂでは図示を省略されているが、左右のレンズを備えている。左右のレンズは度入りでも度なしでも、有色透明でも無色透明でもよい。左右のレンズはこれも図１ａ、ｂでは図示を省略されているがフレームで囲まれている。左右のフレームの外側の部分には、上述した智１３０が接続されている。また、フレームの内側には、ノーズパッドが設けられており、そして、左右のフレームは、ブリッジで接続されている。もっとも、眼鏡１００はフレームレスの眼鏡であっても構わないし、フレームがレンズの一部に沿って設けられていても構わない。更に、レンズも左右に分割されていない一枚ものとなっていてもよい。
要するに、本願発明で用いられる眼鏡は、ネジ１４０によりテンプル１１０の接続が行なわれる丁番１２０を備えていることが必要なのみであり、その他の部分においてはどのような構造が採用されていても構わない。
【００２２】
図１ａ（Ｂ）にネジ１４０Ａを長いネジ１４０Ｂに置換えた後の眼鏡１００を示す。
次いで、この眼鏡１００のネジ１４０Ｂの露出部分に、図１ａ（Ｂ）に示した第１部材２００を取付ける。第１部材２００は、必ずしもこの限りではないが、この実施形態では樹脂製であり、一体成形により製造されたものである。
第１部材２００は、円筒形の筒２１０を備えている。筒２１０は、その上下の端部ともに開口している。
筒２１０の外周面には、板状の接続板２２０が取付けられている。接続板２２０にはネジ１４０Ｂを貫通させることのできる孔２２１が穿たれている。この実施形態においては、孔２２１は、必ずしもこの限りではないが円形であり、その径はネジ１４０Ｂの径と略一致するようにされている。なお、孔２２１の径は、ネジ１４０Ｂの径よりも大径でもよい。孔２２１の径は、一般的な眼鏡の丁番に通常使用されるネジの径よりも大径としておくことができるが、そうすれば１種類の第１部材２００で略すべての眼鏡１００に対応できることになる。
第１部材２００は、孔２２１にネジ１４０Ｂの露出部分を通した状態で、ネジ１４０Ｂに固定される。第１部材２００のネジ１４０Ｂへの固定は、ナット３００を用いて行なわれる。ナット３００は、この実施形態では極一般的な六角ナットであり、例えば金属製、或いは樹脂製である。ナット３００の内周面には、ネジ１４０Ｂの内周面に螺合可能なようにネジ切りがなされている。孔２２１に第１部材２００ネジ１４０Ｂの露出部分を通した状態で、ナット３００をネジ１４０Ｂの螺合部１４１の先端に螺合させそのまま更に締付けると、接続板２２０は下側の丁番板１２１の下面と、ナット３００の上面とにより挟持される。これにより、第１部材２００は、ネジ１４０Ｂに固定される。なお、孔２２１の大きさ、形状は、下側の丁番板１２１の下面とナット３００の上面とによる接続板２２０の挟持を妨げないようなものとされている。第１部材２００のネジ１４０Ｂへの固定が終えられた状態を、図１ａ（Ｃ）に示す。
なお、第１部材２００がネジ１４０Ｂに取付けられた状態で、筒２１０は略垂直になるようになっている。丁番１２０に含まれる丁番板１２１は、水平でない場合も存在する。丁番１２０がそのようなものの場合には、接続板２２０と筒２１０の角度を適当に設計しておく（あるいは接続板２２０と筒２１０の角度を可変にしておき適当に調整する）ことで、第１部材２００がネジ１４０Ｂに取付けられた状態の筒２１０を略垂直に保てるようになる。
図５に図示するが、ネジ１４０Ｂへの固定がなされた第１部材２００は、眼鏡を平面視した場合に両テンプル１１０に挟まれた部分に収まるようになっている。より詳細には、第１部材２００はテンプル１１０から６ｍｍの範囲に収まるようになっており、眼鏡１００を正面から見た場合に眼鏡１００の智１３０の背後に位置するようにされている。第１部材２００は、また、眼鏡１００を側面視した場合にネジ１４０Ｂよりも前方に位置するようにされており、第１部材２００の上下方向の高さは、眼鏡１００のレンズの上下方向の高さの範囲内に収まるようにされている。
なお、この実施形態では、第１部材２００は、左右両方のネジ１４０Ｂに取付けられる。
この実施形態では、接続板２２０の孔２２１の内周面にネジ切りがなされていないものとするが、孔２２１の内周面にはネジ１４０Ｂとの螺合を可能とするようなネジ切りがなされていても構わない。そうすれば、ネジ１４０Ｂを丁番１２０に螺合させる場合に、下側の丁番板１２１の下面にその上面を当接させた接続板２２０に、ネジ１４０Ｂをまとめて螺合させることができる。こうすれば、ナット３００を用いずとも、第１部材２００のネジ１４０Ｂへの固定が実現できる。
【００２３】
この第１部材２００には、ディスプレイである眼鏡用アタッチメント４００に取付けられた第２部材５００が取付けられる。
第２部材５００の構成について図２、及び図４に基づいて説明する。
第２部材５００は、必ずしもこの限りではないがこの実施形態ではその全体が樹脂製である。
第２部材５００は、円柱形に構成された接続棒５１０を備えている。接続棒５１０は、第２部材５００の眼鏡用アタッチメント４００への接続をなすものであり、その一端が眼鏡用アタッチメント４００に接続されている。接続棒５１０は、その他端で略直方体形状の接続体５２０に接続されている。接続棒５１０と接続体５２０の接続は、接続体５２０に対する接続棒５１０の角度を可変にするようになっている。接続体５２０に対する接続棒５１０の接続は、ボールジョイントの如き３次元的な角度の変化を許容するようなものであってもよいが、この実施形態では接続棒５１０は、接続体５２０に対し接続体５２０との接続部を中心とした水平方向での回転のみが許容されるようになっている。
接続体５２０には、また、板状の部材クランク状に接続した形状に形成してなるクランク部材５３０の一端が接続されている。５３０クランク部材５３０は、必ずしもクランク状の形状とされている必要はないが、第２部材５００が第１部材２００に取付けられたときに、眼鏡１００のテンプル１００、智１３０又はレンズ（及びフレーム）をこれには限られないが、この実施形態では上から跨ぐことができるような形状とされている。クランク部材５３０と、接続体５２０の接続は接続体５２０に対するクランク部材５３０の角度を可変とするようにされている。この接続は、ボールジョイントの如き３次元的な角度の変化を許容するようなものであってもよいが、この実施形態ではクランク部材５３０は、接続体５２０に対し接続体５２０との接続部を中心とした水平方向での回転のみが許容されるようになっている。
クランク部材５３０の他端には、この実施形態では円柱形状とされた棒５４０が接続されている。棒の断面形状は、第１部材２００が備える筒２１０の内部空間の断面形状と一致するようにされている。棒５４０は、必ずしもこの限りではないが、その軸を中心として回転できるような状態でクランク部材５３０に固定されている。
【００２４】
第１部材２００への第２部材５００の取付けは、第２部材２００の棒５４０を第１部材２００の筒２１０に挿し込むことによって行う。かかる挿し込みを行なうと、第２部材２００のクランク部材５３０が第１部材２００筒の上端と干渉し、クランク部材５３０が筒２１０と係止される。この状態で第２部材５００は、第１部材２００に固定されたことになる。棒５４０は筒２１０の内側の空間に隙間無く収納されるので、第２部材５００の第１部材への取付け状態は安定したものとなる。
なお、第１部材２００への第２部材の取付けは、筒２１０の内部に、筒２１０の内部に挿入された棒５４０の先端と係止し合う係止部を設けることにより行なってもよい。係止部５４０は、例えば、筒２１０の下端に設けた底とすることができる。筒２１０よりも棒５４０の長さを長くしておいた場合、棒５４０の先端は筒２１０の底に当接して係止される。このようにして、第２部材５００を第１部材２００に固定してもよい。
【００２５】
眼鏡用アタッチメント４００の構成を図４を用いて説明する。
眼鏡用アタッチメント４００は、ディスプレイであり、図４（Ａ）の正面図、同（Ｂ）の平面図、同（Ｃ）の背面図に示されたような形状となっている。
眼鏡用アタッチメント４００は、例えば樹脂製のケース４１０を備えている。ケース４１０の背面に、上述した第２部材５００が接続されている。第２部材５００は左右対称に２つ設けられている。
ケース４１０の内部には、いずれも図示を省略するが、小型のディスプレイ装置（例えば液晶ディスプレイ装置）、ディスプレイ装置に画像を表示させるための制御回路、制御回路がディスプレイ装置に画像を表示させるための画像のデータを眼鏡用アタッチメント４００の外部から例えば無線で取得するためのインタフェイスが設けられている。ディスプレイ装置に表示された画像の像光が、これも図示を省略のレンズで拡大されユーザの眼へ投影されることで、ユーザはディスプレイ装置に表示された画像を大きな画像として見られることになる。この実施形態では、ディスプレイ装置とレンズは左右両眼のそれぞれ用に一対設けられている。２つのディスプレイ装置からの像光は、ケース４１０の背面に設けられた２つの開口４１１からユーザの左右の眼へそれぞれ投影されるようになっている。
【００２６】
図２（Ｂ）に示したようにして２つの第２部材５００それぞれを２つの第１部材２００に取付けた場合における、眼鏡１００及び眼鏡用アタッチメント４００の全体図を、図５に示す。
図５に示すように、眼鏡１００に眼鏡用アタッチメント４００を取付けると、眼鏡用アタッチメント４００は、眼鏡１００のレンズの直前に位置することになる。眼鏡用アタッチメント４００の位置、角度は、接続体５２０に対する接続棒５１０とクランク部材５３０の角度を調整することにより、調整できる。このとき、眼鏡用アタッチメント４００のケース４１０の背面の左右の開口はそれぞれ、眼鏡用アタッチメント４００を取付けた眼鏡を装着したユーザの左右の眼の正面に位置することになる。眼鏡用アタッチメント４００を取付けた眼鏡１００はヘッドマウントディスプレイと同等に機能し、ユーザは眼鏡１００を装着した状態で画像を見ることができるようになる。
【００２７】
なお、ユーザは、眼鏡用アタッチメント４００の使用を中止する場合等には、眼鏡用アタッチメント４００を棒５４０の長さだけ上に持ち上げる。すると、棒５４０が筒２１０から抜け、第１部材２００と第２部材５００の固定が、ひいては眼鏡１００と眼鏡用アタッチメント４００の固定が解除される。
【００２８】
＜変形例１＞
変形例１の眼鏡システムについて、図３を用いて説明する。
変形例１の眼鏡システムは、第１実施形態の眼鏡システムと略同様である。
変形例１の眼鏡システムは、第１実施形態の場合と同様、眼鏡１００、眼鏡１００に取付けられる第１部材２００、眼鏡１００第１部材２００を取付けるために用いられるナット３００、眼鏡用アタッチメント４００、眼鏡用アタッチメント４００に取付けられる第２部材５００を備えている。そして、眼鏡１００、眼鏡用アタッチメント４００、及びナット３００については第１実施形態の場合と変わらず、第１部材２００を長いネジ１４０Ｂに取付ける方法についても第１実施形態と代わらない。
また、変形例１の眼鏡システムの第１部材２００は、第１実施形態の場合と同様に筒２１０と接続板２２０を持ち、変形例１の眼鏡システムの第２部材５００は、第１実施形態の場合と同様に、接続棒５１０と、接続体５２０と、クランク部材５３０と、棒５４０を備えている。これらの構成は第１実施形態の場合と略変わらないが、クランク部材５３０は、第１実施形態の場合とは異なり、眼鏡１００のテンプル１００、智１３０又はレンズ（及びフレーム）を下から潜るようになっている。
【００２９】
変形例１の眼鏡システムが第１実施形態の眼鏡システムと実質的に異なるのは、変形例１の眼鏡システムでは、第１実施形態では上側に開口を持った筒２１０に、その下端から差込まれることとされていた棒５４０が、その下側に開口を持った筒２１０にその上端から差込まれることになっている、という点である。筒２１０に差込まれた棒５４０が筒２１０から脱落しないように、変形例１では以下の構成が採用されている。
変形例１の眼鏡システムの筒２１０の上方には切欠２１１が設けられている。この切欠２１１は、筒２１０の一部を周方向に切り欠いており、筒２１０の内部の空間と筒の外部の空間を連通させている。また、変形例１では、筒２１０の外側にリング状のバネ２１２が嵌め込まれている。このバネ２１２は、その一部が切欠２１１に掛るようになっており、その部分で筒２１０の内側の空間に入り込んでいる。バネ２１２の径は筒２１０の径よりも小さくなっており、バネ２１２には常にその径を小さくしようとする弾性力がはたらいている。
変形例１の眼鏡システムの棒５４０は、その上方に溝５４１を備えている。この溝５４１は棒５４０の所定の高さに周方向に設けられている。溝５４１は、棒５４０の周方向を一回りするように設けられていてもよいが、少なくとも棒５４０を筒２１０に差込んだ場合に切欠２１１に対応する部分に設けられている。
【００３０】
変形例１では、第１部材２００と第２部材５００を固定するには、第１部材の下側に開口を持った筒２１０に、第２部材５００の棒５４０を上端から差込む。棒５４０を筒２１０に差込んでいくと、やがて棒の先端が筒２１０の中に入り込んでいるバネ２１２に当る。そのまま棒５４０を筒２１０に更に差込んでいくと、バネ２１２の弾性力に抗してバネ２１２を押し広げながら棒５４０は筒２１０の中を更に進んでいく。すると、棒５４０の溝５４１がバネ２１２に到達する。溝５４１がバネ２１２に到達すると、その縮もうとする弾性力によりバネ２１２は棒５４０の溝５４１に嵌りこむ。バネ２１２とその溝５４１が係止し合う状態となった棒５４０は、筒２１０から抜けなくなる。
このようにして第１部材２００と第２部材５００と固定した状態における眼鏡用アタッチメント４００の眼鏡１００に対する位置関係は、第１実施形態の場合と同様である。
ユーザは、眼鏡用アタッチメント４００の使用を中止した場合等、眼鏡用アタッチメント４００を眼鏡１００に取付けておく必要がなくなった場合には強い力をかけて、眼鏡用アタッチメント４００を眼鏡１００に対して下に相対的に移動させる。そうすると、バネ２１２の弾性力に抗してバネ２１２の径が広がり、バネ２１２が溝５４１から抜ける。すると、後は眼鏡１００を持ち上げるか、眼鏡用アタッチメント４００を下に移動させると棒５４０が筒２１０から抜けるので、第１部材２００と第２部材５００の固定が、ひいては眼鏡１００と眼鏡用アタッチメント４００の固定が解除される。
【００３１】
＜変形例２＞
変形例２の眼鏡システムについて説明する。
変形例２の眼鏡システムは、第１実施形態の眼鏡システムと略同様である。
変形例２の眼鏡システムは、第１実施形態の場合と同様、眼鏡１００、眼鏡１００に取付けられる第１部材２００、眼鏡１００第１部材２００を取付けるために用いられるナット３００、眼鏡用アタッチメント４００、眼鏡用アタッチメント４００に取付けられる第２部材５００を備えている。そして、眼鏡１００、眼鏡用アタッチメント４００、及びナット３００については第１実施形態の場合と変わらず、第１部材２００を長いネジ１４０Ｂに取付ける方法についても第１実施形態と代わらない。
変形例２の眼鏡システムが第１実施形態の眼鏡システムと実質的に異なるのは、変形例２における筒２１０と棒５４０の関係が入代わっているという点である。つまり、変形例２では、筒２１０が第２部材５００に、棒５４０が第１部材２００にそれぞれ設けられている。
変形例２の眼鏡システムで第１部材２００と第２部材５００を固定する方法については、筒２１０と棒５４０の動きに着目すれば第１実施形態の場合と同様なので説明を省略する。第１部材２００と第２部材５００を解除する方法についても、同様の理由で説明を省略する。
なお、上述の相違点を除き変形例２の眼鏡システムは第１実施形態の眼鏡システムと変わらないが、筒２１０や棒５４０等が他の部材と干渉するのを防ぐための必要があれば、必要に応じてそれを行なう。例えば、単純に筒２１０と棒５４０の関係を入替えただけでは、図２の棒５４０の位置にある筒２１０は棒５４０をその中に差込んでいくと、棒５４０が筒２１０に完全に差込まれる前に筒の２１０の外周が丁番１２０と干渉してしまうため、筒２１０の長さは棒５４０の先端から丁番１２０の上側の丁番板１２１の上面までの距離よりも短くする必要がある。
【００３２】
なお、変形例１の眼鏡システムでも、棒２１０と筒５４０の関係を逆にすることが可能である。
【００３３】
＜変形例３＞
図６を用いて変形例３の眼鏡システムについて説明する。
変形例３の眼鏡システムは、第１実施形態の眼鏡システムと略同様である。
変形例３の眼鏡システムは、第１実施形態の場合と同様、眼鏡１００、眼鏡１００に取付けられる第１部材２００、眼鏡１００第１部材２００を取付けるために用いられるナット３００、眼鏡用アタッチメント４００、眼鏡用アタッチメント４００に取付けられる第２部材５００を備えている。そして、眼鏡１００、第１部材２００、ナット３００の構成については、第１実施形態の場合となんら変わりはない。
変形例３の眼鏡システムでは、第２部材５００の構成が第１実施形態の場合と異なっている。
変形例３の眼鏡システムの第２部材５００は、第１実施形態の場合と同様の棒５４０を備えている。ただし、変形例３の第２部材は、第１実施形態の場合と異なり、接続棒５１０と、接続体５２０と、クランク部材５３０を備えない。
その代わりに、変形例３の第２部材は、円筒形にされた眼鏡用アタッチメント４００の固定に特化した固定板材５５０及びクランプ５６０を備える。固定板材５５０は、その基端を棒５４０の上端に固定されている。固定板材５５０の基端側には、その長さ方向に走るスリット５５１が設けられている固定板材５５０の先端側は、図６（Ｂ）に示されたように輪状に折り返されており、その先端は、固定板材５５０の基端側の部分の下方に当接されている。固定板材５５０の輪状の部分は、そこに嵌め込まれることが予定された眼鏡用アタッチメント４００の径よりも僅かに大径とされている。固定板材５５０の先端付近には、その内周面にネジ切りされた図示せぬ孔が穿たれている。
クランプ５６０は、摘み５６１と、その外周にネジ切りされた螺合部５６２とを備えている。クランプ５６０は、スリット５５１を貫通した状態で螺合部５６２を固定板材５５０の孔に螺合させられるようになっている。
固定板材５５０に対する眼鏡用アタッチメント４００の固定は、固定板材５５０の輪状の部分に眼鏡用アタッチメント４００を通過させて眼鏡用アタッチメント４００の前後位置を適当に調整した後、クランプ５６０を締め込むことで行なう。摘み５６１を摘んでクランプ５６０を締め込むと、固定板材５５０の上下に重なり合った部分がより強く押接され、それにしたがって固定板材５５０の輪状の部分の径が縮まる。それにより、固定板材５５０による眼鏡用アタッチメント４００の固定はより強固なものとなる。
なお、円筒形の眼鏡用アタッチメント４００の例としては、ライト、撮像装置、オーディオプレイヤ等が考えられる。
要するに、第２部材５００の構成は、眼鏡用アタッチメント４００の種類、構成等に応じて、第１部材２００との固定に必要な部分を除いて適当に変形できるのである。
第１部材２００と第２部材５００の固定、固定解除の方法は第１実施形態の場合と同様である。
また、この変形例３では、その必要性から、第１部材２００、第２部材５００ともに１つずつとされているが、これらを２つずつにすることは当然に可能である。
変形例３に、変形例１、変形例２の構成を組合わせることも当然に可能である。
【００３４】
＜変形例４＞
変形例４は、変形例３と同様、眼鏡用アタッチメント４００の種類、構成に応じて、第１実施形態の第２部材５００の構成を変更したものである。
変形例４の第２部材５００は、棒５４０の状態に、眼鏡用アタッチメント４００固定用の板材である固定用板５７０を備えている。固定用板５７０の先端には、角筒状の固定筒５７１が備えられている。
変形例４の眼鏡用アタッチメント４００は、ユーザが眼鏡越しに拡大して物を見ることのできるルーペである。このルーペは、板状の基材４２０を備えており、そこから板状の吊り下げ材４２１によって拡大鏡４２２を吊下げた構造となっている。この眼鏡用アタッチメント４００は、基材４２０の両端を固定筒５７１を貫通させることにより、第２部材５００に固定される。
第１部材２００と第２部材５００の固定、固定解除の方法は第１実施形態の場合と同様である。
変形例４に、変形例１、変形例２の構成を組合わせることも当然に可能である。
【００３５】
≪第２実施形態≫
次に、第２実施形態の眼鏡システムについて、図８〜図１１を用いて説明する。
第２実施形態の眼鏡システムは、第１実施形態の場合と同様、眼鏡１００、眼鏡１００に取付けられる第１部材２００、眼鏡用アタッチメント４００、眼鏡用アタッチメント４００に取付けられる第２部材５００を備えている。
ただし、第２実施形態の眼鏡システムは第１実施形態の場合と異なり六角ナットであったナット３００を持たない。
第２実施形態の眼鏡システムは、また、第１部材２００と、第２部材３００の構成も第１実施形態の場合と異なる。
第２実施形態における第１部材２００は、図８に示したような形状をしている。第１部材２００は、必ずしもこの限りではないが、樹脂製の一体成形品である。第２実施形態の第１部材２００は、楕円状の第１係止片２３０と、円形の第２係止片２４０とを９０度捻った状態で、矩形の板状の接続片２５０により接続した形状とされている。
第１係止片２３０には、必ずしもこの限りではないがこの実施形態では円形とされた第１孔２３１が穿設されており、第２係止片２４０には必ずしもこの限りではないがこの実施形態では円形とされた第２孔２４１が穿設されている。
第２実施形態の第１部材２００は、ナット３００ではなく、図９に示したフランジ付ナット６００で第１実施形態の場合と同様の長いネジ４０Ｂに固定される。フランジ付ナット６００は、必ずしもこの限りではないが円形で板状のフランジ部６１０と、円筒形の螺合筒６２０とを同軸で備えている。螺合筒６２０の内部の孔６２１はこの実施形態ではフランジ部６１０をも貫いているが、必ずしもそうなっている必要はない。
孔６２１の内周面にはネジ切りがされている。フランジ部６１０は、指で摘むのが容易なように構成されており、例えばその直径は８ｍｍ±４ｍｍ程度である。
第１部材２００は、フランジ付ナット６００の螺合筒６２０を第１係止片２３０の第１孔２３１を貫通させた状態でネジ１４０Ｂに螺合させることでネジ１４１Ｂに固定される。フランジ付ナット６００のフランジ部６１０の上面に、丁番１２０の下側の丁番板１２１の下面との間で第１係止片２３０を挟持させることにより、ネジ１４０Ｂに第１部材を固定させるのである。それが可能なように、第１孔２３１の大きさは、螺合筒６２０の太さよりも大きくされている。なお、フランジ付ナット６００のフランジ部６１０の径は、フランジ付ナット６００をユーザがつまみやすいように、平面視した場合に第１係止片２３０からその一部が食み出るようにされている。
【００３６】
第１部材２００の第２係止片２４０の第２孔２４１には、ボール受け５８０が接続される。ボール受けは、図１０に示したように構成されている。ボール受けは、必ずしもこの限りではないが、樹脂製の一体成形品である。ボール受け５８０は、円柱形状の軸材５８１と、後述するボール部の形状に対応した略半球状の穴である受け穴５８２を備えた受け部５８３とを備えている。
軸材５８１の基端は、第１部材２００の第２孔２４１に挿入される。軸材５８１の基端の径は、第１部材２００の第２孔２４１と略同じであり、軸材５８１の基端を第１部材２００の第２孔２４１に挿入すると軸材５８１は第２孔２４１にきつく嵌り合う。
ボール受け５８０の受け孔５８２には、眼鏡１００との組合わせによりヘッドマウントディスプレイを構成するディスプレイである眼鏡用アタッチメント４００に取付けられたボール４３０が嵌り合う。ボール４３０は球状であり、円柱状の接続筒４３１によって眼鏡用アタッチメント４００に固定されている。ボール４３０と、受け部５８３の組合わせにより、ボールジョイントが構成される。
眼鏡１００に眼鏡用アタッチメント４００を取付けた状態の斜視図を図１１に示す。
【００３７】
この実施形態では、上述のようにしてネジ１４０Ｂに取付けられた第１部材２００に、ボール受け５８０を介して、眼鏡用アタッチメント４００が取付けられる。
その状態で、ユーザは、眼鏡用アタッチメント４００の鍵型に曲げられた先端部分に仕込まれたディスプレイ装置からレンズを介して照射される像光により、ディスプレイ装置に表示された画像を見ることができるようになる。眼鏡用アタッチメント４００とユーザの眼の位置関係が適切でない場合には、ボールジョイントの機能により眼鏡用アタッチメント４００の位置を調整可能である。
眼鏡用アタッチメント４００の使用が必要なくなったとき、ユーザは、ボール受け５８０を第１部材２００から外す。或いは、ユーザは、フランジ付ネジ６００をネジ１４０Ｂから外して、第１部材２００ごと眼鏡用アタッチメント４００を眼鏡１００から外す。軸材５８１の基端を第１部材２００の第２孔２４１から外せないような構成にすることも可能である。この場合には、眼鏡用アタッチメント４００の使用が必要なくなったユーザは、フランジ付ネジ６００をネジ１４０Ｂから外して、第１部材２００ごと眼鏡用アタッチメント４００を眼鏡１００から外す。
【００３８】
≪第３実施形態≫
第３実施形態の眼鏡システムについて、図１３及び図１４を用いて説明する。
第３実施形態の眼鏡システムは、第１実施形態の眼鏡システムと略同様である。
第３実施形態の眼鏡システムは、第１実施形態の場合と同様、眼鏡１００、眼鏡１００に取付けられる第１部材２００、眼鏡１００第１部材２００を取付けるために用いられるナット３００、眼鏡用アタッチメント４００、眼鏡用アタッチメント４００に取付けられる第２部材５００を備えている。そして、眼鏡１００、眼鏡用アタッチメント４００、及びナット３００については第１実施形態の場合と変わらず、第１部材２００を長いネジ１４０Ｂに取付ける方法についても第１実施形態と代わらない。
但し、第３実施形態の眼鏡システムの第１部材２００の構成は、第１実施形態の場合と若干異なる。第３実施形態の眼鏡システムの第１部材は、図１４の拡大図に示されたように第１実施形態の場合と同様の接続板２２０を備えるが、第１実施形態で存在した筒２１０を備えない。その代わり、第３実施形態の第１部材２００は、ネジ１４０へ第１部材２００を取付けた際に略垂直に伸びることになる円柱形状の磁石部材２５０を備える。磁石部材２５０は、その上下両端に磁石２５１が仕込まれている。
第３実施形態の眼鏡システムの第２部材は、眼鏡用アタッチメント４００の一部となっている。
【００３９】
第３実施形態の眼鏡システムの眼鏡用アタッチメント４００は、ユーザに瞬きを促すことによりドライアイなどを防ぐための疲労予防具となっている。
疲労予防具である眼鏡用アタッチメント４００は、ケース４３０と、ユーザがそれを通して外界を見るレンズ部４４０とを備える。レンズ部４４０は、眼鏡用アタッチメント４００を眼鏡１００に取り付けたときに、眼鏡１００のレンズのうちの一方（この実施形態では右側）の直前に、レンズに略平行に位置するようになっている。ケース４３０は、ユーザの瞬目の検出、検出されたユーザの瞬目の状態に基づくユーザの瞬目の回数が所定の基準より少なくなっているかの判定、ユーザの瞬目の回数が所定の基準より少なくなっていると判定した場合に、レンズ部４４０を通してのユーザの視界を通常時より見づらくするような変化をレンズ部４４０に生じさせる処理、及び視界が見づらくなっているときにユーザの瞬目を検出した場合に、レンズ部４４０に変化を生じさせる処理を解除させる処理を行う回路を内蔵する。このような眼鏡用アタッチメント４００を使用すると、ユーザの瞬目の回数が少なくなった場合に、レンズ部４４０から見た視界が見づらくなるため、それを疎ましく感じるユーザに、自発的に瞬目を行うための動機付けを与えられるようになる。これにより、ユーザの瞬目の回数をある程度の数以上に保てるようになる。視界を見づらくする処理は、その目的が達成されるのであれば、どのようなものであってもよい。例えば、視界を見づらくする処理は、視界を遮光するようになっていてもよい。このような遮光は、例えば、レンズ部４４０を高分子の液晶複合膜とし、電圧をかけられた透明な状態と、電圧をかけられていない光を散乱させる白濁の状態とを切り換えられるようにすることによって実現可能である。また、視界上に所定の絵柄を表示し、絵柄を移動させるようになっていてもよい。
ケーシング４３０は、平面視した場合にＬ型に曲げられており、その後方に伸びる部分に、略水平に張出した板状の吸着板４３１を備えている。吸着板４３１には、磁石と吸着する磁性体か、或いは、磁石部材２５０の上下に仕込まれた上述の磁石２５１と吸着しあう磁石４３２を備えている。
眼鏡用アタッチメント４００は、上側の吸着板４３１と下側の吸着板４３１を、磁石部材２５０を上下から挟み込むに近づけると、磁石部材２５０に吸着される。それにより、眼鏡用アタッチメント４００は、眼鏡１００に固定されることになる。
【００４０】
眼鏡用アタッチメントの使用が必要なくなったら、吸着板４３１を磁石部材２５０との間に生じた吸着力に抗して磁石部材２５０から取外せばよい。この実施形態の場合には、第１部材２００は眼鏡１００に残ることになる。
【符号の説明】
【００４１】
１００  眼鏡
１１０  テンプル
１１１  テンプル板
１１２  孔
１２０  丁番
１２１  丁番板
１２２  孔
１３０  智
１４０、１４０Ａ、１４０Ｂ  ネジ
１４１  螺合部
１４２  頭部
２００  第１部材
２１０  筒
２１１  切欠
２１２  バネ
２２０  接続板
２２１  孔
２３０  第１係止片
２３１  第１孔
２４０  第２係止片
２４１  第２孔
２５０  磁石部材
２５１  磁石
３００  ナット
４００  眼鏡用アタッチメント
４１０  ケース
４２０  基材
４２１  吊り下げ材
４２２  拡大鏡
４３０  ボール
４３１  接続筒
４３２  磁石
４４０  レンズ部
５００  第２部材
５１０  接続棒
５２０  接続体
５３０  クランク部材
５４０  棒
５４１  溝
５５０  固定板材
５５１  スリット
５６０  クランプ
５６１  摘み
５６２  螺合部
５７０  固定用板
５７１  固定筒
５８１  軸材
５８２  受け穴
５８３  受け部
６００  フランジ付ナット
６１０  フランジ部
６２０  螺合筒
６２１  孔
【図１ａ】
2012083373.tif 000003
【図１ｂ】
2012083373.tif 000004
【図２】
2012083373.tif 000005
【図３】
2012083373.tif 000006
【図４】
2012083373.tif 000007
【図５】
2012083373.tif 000008
【図６】
2012083373.tif 000009
【図７】
2012083373.tif 000010
【図８】
2012083373.tif 000011
【図９】
2012083373.tif 000012
【図１０】
2012083373.tif 000013
【図１１】
2012083373.tif 000014
【図１２】
2012083373.tif 000015
【図１３】
2012083373.tif 000016
【図１４】
2012083373.tif 000017